(57)【要約】【課題】開封や破棄が容易であり、意匠性が高い包装体を提供する。【解決手段】吊下げ用の係止部である透孔６６が設けられた二つ折りのシート状の台紙５８と、一枚の樹脂シートから一体的に打ち抜かれた箱体形成片１４を組み立てた収容部１２を有する。箱体形成片１４には、互いに平行に連接された側面１６，１８，２０，２２と、側面１６，２２を連結する連結片である糊付片２４と、側面１８から側方に突出する挟持片３８，５０を備える。台紙５８の二つ折りされた一方の側面６２には、収容部１２が挿通され、その縁部で挟持片３８，５０を係止する開口部６８を備える。挟持片３８，５０は、開口部６８の一辺に沿う折罫線４０，５２で側面と区切られ、挟持片３８，５０の折罫線４０，５２両端部近傍には、側方へ突出し開口部６８周縁に係合する係合突部４２，４４，５４，５６が設けられている。【選択図】図４
2008213916.tif 000002
【特許請求の範囲】
【請求項１】
吊下げ用の係止部が設けられた二つ折りのシート状の台紙と、一枚の樹脂シートから一体的に打ち抜かれた箱体形成片を組み立てた収容部が設けられ、前記箱体形成片には、互いに平行に連接された側面と、前記側面どうしを連結する連結片と、前記側面から側方に突出する挟持片が設けられ、前記台紙の二つ折りされた一方の側面には、前記収容部が挿通されその縁部で前記挟持片を係止する開口部が設けられていることを特徴とする包装体。
【請求項２】
前記挟持片は、前記開口部の一辺に沿う折罫線で前記側面と区切られて設けられ、前記挟持片の前記折罫線両端部近傍には、側方へ突出し前記開口部周縁に係合する係合突部が設けられていることを特徴とする請求項１記載の包装体。
【請求項３】
前記台紙は、二つ折りされた一方の側面を後側面とし、前記台紙の周縁部であって二つ折りにして対面する裏面同士を糊付けする糊付部と、前記台紙を開封するジッパー部が設けられていることを特徴とする請求項１記載の包装体。
【請求項４】
前記箱体形成片には、互いに平行に連接された複数枚の側面が設けられ、端に位置する一対の側面が互いに重ねられて筒体の収容部を形成し、端に位置する一方の側面が連接方向に対して直角方向に長く設けられ、中間に位置する一側面には横蓋部が折罫線で区切られて設けられ、横蓋部の一辺には挟持片が折罫線で区切られて設けられ、前記挟持片は折罫線と反対側の端部から折罫線に達する切断線により分割され、前記切断線は、端部側の約半分は直線で、折罫線側の約半分は、湾曲する曲線で形成され、連接する側面の端に位置し長く設けられている側面の端部は、切断線により分割され、前記切断線は、端部側の約半分が直線でその内側に湾曲する曲線を有し、前記側面を筒体に組み立てたとき横蓋部で筒体の開口を閉じると、前記挟持片の裏面と端に位置する長い側面の裏面が重なり、前記挟持片の切断線と前記側面の切断線が互いに一致し、曲線部分は湾曲方向が反対向きとなり、分割された一方の側面を他方の側面に対して角度を変えると、一方の側面の切断線内側部分が、他方の側面の切断線内側部分を弾性変形しながら乗り越えて重ねられ、元に戻らず互いに係止され、前記挟持片と側面も係止され、前記横蓋部は側面に対して直角に位置して筒体の一端部を閉鎖することを特徴とする請求項１記載の包装体。
【請求項５】
前記収容部は、前記側面の下端部を閉鎖する底蓋片が設けられ、前記底蓋片または前記側面の端部が前記台紙の下端部と同一平面上に位置し、前記底蓋片側を下にして前記側面が略水平な面に自立可能であることを特徴とする請求項１又は２記載の包装体。
【発明の詳細な説明】
【技術分野】
【０００１】
この発明は、商品を収容して店頭に陳列する包装体に関する。
【背景技術】
【０００２】
従来、商品を収容するブリスター包装は、吊下げ用の透孔が形成された紙製の台紙に、合成樹脂製の透明シートを成形して作られたケースが貼り付けられて設けられている。しかし、商品を取り出すときに台紙からケースを剥がさなければならず、手間がかかるものであった。また、台紙は不透明なため商品の裏側を見ることができなかった。
【０００３】
この問題を解決するために、以下の特許文献１〜特許文献３に、台紙を二つ折りにする包装体が開示されている。特許文献１に開示されているブリスターパックとその開封方法は裏台紙と中央穴を有する表台紙との間に、被包装物収納の凹部外周に成形シートの全鍔を挟持させ、両台紙の内面同士を糊着して一体に包装した吊下孔を有するものである。
【０００４】
特許文献２に開示されている小形商品類の外装体は、商品本体を収納する透明な略箱状体の両側よりシート片を突出させた商品包装ケースと、該商品包装ケースのシート片を挟むように二つ折り状にしたとき略箱状体部が突出通過するような貫通孔が形成された紙類を二つ折り状に簡易固定する支持台紙とが組合せられて設けられているものである。
【０００５】
特許文献３に開示されているブリスターパックは、化粧品を収容し開口部を有する容器部と上記開口部周縁から外側に延設されたフランジ部とからなるブリスターケースと、このブリスターケースを固定し表裏面に化粧料の全成分等の情報が印刷された台紙材を二つ折りしてなる台紙とで構成されているものである。台紙には、上記容器部を挿通させその縁部で上記フランジ部を係止する窓部が形成され、上記台紙の内側の２面は、防滑性を有する剥離糊を介して剥離可能に貼着されているとともに、上記ブリスターケースのフランジ部を挟持している。
【特許文献１】特開２００５−２４７３５８号公報
【特許文献２】特開２００１−１９２０６１号公報
【特許文献３】特開２０００−２０３６３４号公報
【発明の開示】
【発明が解決しようとする課題】
【０００６】
特許文献１〜３に開示されている紙製ブリスターパックは、二つ折りした台紙どうしを接着してケースを保持するものであり、台紙を剥がすためには比較的大きな力が必要で、手間がかかるものである。従って、より簡単に開封可能な包装体が求められている。
【０００７】
また、特許文献１，３は、透明シートを皿形に成型したケースが用いられ、ケースを成形するための成型機が必要であり、大型の装置が必要でコストが掛かるものである。また、透明シートは、成型時に角部分等で大きく延伸されるため、透明シートに予め印刷を施しても、成形後に形状がゆがんでしまうおそれがあった。これに対して、延伸される部分を除いて印刷する方法もあるが、位置決めが困難であり、また延伸する部分に印刷できないことから自由にデザインすることもできなかった。このため、商品名や効果等を印刷することができなかった。一方、シールを貼る方法もあるが、手間とコストが掛かっていた。
【０００８】
この発明は、上記従来の技術の問題点に鑑みてなされたものであり、開封や破棄が容易であり、意匠性が高い包装体を提供することを目的とする。
【課題を解決するための手段】
【０００９】
本発明は、吊下げ用の係止部が設けられた二つ折りのシート状の台紙と、一枚の樹脂シートから一体的に打ち抜かれた箱体形成片を組み立てた収容部が設けられ、前記箱体形成片には、互いに平行に連接された側面と、前記側面どうしを連結する連結片と、前記側面から側方に突出する挟持片が設けられ、前記台紙の二つ折りされた一方の側面には、前記収容部が挿通されその縁部で前記挟持片を係止する開口部が設けられている。
【００１０】
また、前記挟持片は、前記開口部の一辺に沿う折罫線で前記側面と区切られて設けられ、前記挟持片の前記折罫線両端部近傍には、側方へ突出し前記開口部周縁に係合する係合突部が設けられている。
【００１１】
また、前記台紙は、二つ折りされた一方の側面を後側面とし、前記台紙の周縁部であって二つ折りにして対面する裏面同士を糊付けする糊付部と、前記台紙を開封するジッパー部が設けられている。
【００１２】
また、前記箱体形成片には、互いに平行に連接された４枚以上の複数の側面が設けられ、端に位置する一対の側面が互いに重ねられて三角等の筒体の収容部を形成し、端に位置する一方の側面が連接方向に対して直角方向に長く設けられている。中間に位置する一側面には、略正三角形等の横蓋部が折罫線で区切られて設けられ、横蓋部の一辺には、挟持片が折罫線で区切られて設けられ、挟持片は折罫線と反対側の端部から折罫線に達する切断線により分割され、前記切断線は、端部側の約半分は直線で、折罫線側の約半分は、湾曲する曲線で形成されている。連接する側面の端に位置し長く設けられている側面の端部は、切断線により分割され、前記切断線も端部側の約半分は直線で、残りの約半分は湾曲する曲線で形成されている。前記側面を三角筒体等に組み立てたとき横蓋部で三角筒体等の開口を閉じると、挟持片の裏面と端に位置する側面裏面が重なり、前記挟持片の切断線と側面の切断線が互いに一致し、曲線部分は湾曲方向が反対向きとなり、分割された一方の側面を他方の側面に対して角度を変えると、一方の側面の切断線内側部分が、他方の側面の切断線内側部分を弾性変形しながら乗り越えて重ねられ、元に戻らず互いに係止される。挟持片と側面も係止され、前記横蓋部は側面に対して直角に位置して三角筒体等の一端部を閉鎖する。
【００１３】
また、前記収容部は、前記側面の下端部を閉鎖する底蓋片が設けられ、前記底蓋片または前記側面の端部が前記台紙の下端部と同一平面上に位置し、前記底蓋片側を下にして前記側面が略水平な面に自立可能に形成しても良い。
【発明の効果】
【００１４】
本発明の包装体は、開封が容易であり、力のない人や手の不自由な人にも簡単に商品を取り出すことができる。さらに、紙製の台紙と、プラスチック製の収容部が簡単に分離され、資源として再利用することができる。また、いろいろな意匠表現が可能で意匠性が高く、消費者に強い印象を与えることができるものである。
【発明を実施するための最良の形態】
【００１５】
以下、この発明の実施形態について図面に基づいて説明する。図１〜図４はこの発明の第一実施形態を示すもので、この実施形態の包装体１０は、収容物である商品を収容する箱状の収容部１２が設けられている。収容部１２は、着色されまたは透明で可撓性を有するポリエステルやポリエチレン等の合成樹脂製の一枚のブランクシートを打ち抜いて形成された箱体形成片１４を組み立てて設けられている。
【００１６】
図３は、箱体形成片１４を表面から見た展開図であり、箱体形成片１４は、側面１６，１８，２０，２２が、互いに平行に連接して形成されている。側面１６，１８，２０は、連接している幅方向は同じ長さであり、連接方向の長さは側面１８が長く、側面１６，２０は短くて互いにほぼ等しい。側面２２は、連接している幅方向が他の側面より長く、連接方向の長さも長い。側面１６の側縁部には、収容部１２の組立状態で側面２２の裏面に糊付けされ、側面同士を連結する連結片である糊付片２４が設けられている。なお、側面２２の連接方向の長さは、糊付片２４と側面１８をたした長さにほぼ等しい。そして、糊付片２４、側面１６，１８，２０，２２は、各々折罫線２６，２８，３０，３２で区切られている。
【００１７】
側面１８において、側面どうしの連接方向に対して直角な方向の一端部には、上蓋片３４が折罫線３６で区切られて設けられている。上蓋片３４の折罫線３６の反対側の端部には、さらに挟持片３８が折罫線４０で区切られて設けられている。挟持片３８の、側面１６に近い側縁部、つまり折罫線２８の延長上に位置する側縁部には、側方に半円状に突出する係合突部４２が一体に形成されている。挟持片３８の、係合突部４２と反対側の側縁部、つまり折罫線３０の延長上に位置する側縁部は、側方に矩形状に突出する係合突部４４が一体に形成されている。係合突部４４は、係合突部４２よりも突出量が小さく形成されている。挟持片３８の、折罫線４０に対して直角方向の長さは、側面２２の上端部２２ａと、側面１８の折罫線３６を有する端部との差にほぼ等しい。
【００１８】
側面１８の、折罫線３６とは反対側の端部には、底蓋片４６が折罫線４８で区切られて設けられている。底蓋片４６の折罫線４８の反対側の端部には、さらに挟持片５０が折罫線５２で区切られて設けられている。挟持片５０の、側面１６に近い側縁部、つまり折罫線２８の延長上に位置する側縁部は、側方に半円状に突出する係合突部５４が一体に形成されている。挟持片５０の、係合突部５４と反対側の側縁部、つまり折罫線３０の延長上に位置する側縁部は、側方に矩形状に突出する係合突部５６が一体に形成されている。係合突部５６は、係合突部５４よりも突出量が小さく形成されている。挟持片５０の、折罫線５２に対して直角方向の長さは、側面２２の下端部２２ｂと、側面１８の折罫線４８を有する端部との差にほぼ等しい。
【００１９】
そして、この実施形態の包装体１０には、組み立てられた収容部１２を取り付ける台紙５８が設けられている。台紙５８は図２に示すように、紙製等のブランクシートを打ち抜いて矩形に作られている。台紙５８は、水平方向の中心に、二つ折りにする二つ折り線６０が設けられ、前側面６２と後側面６４に区切られている。台紙５８の前側面６２には、前側面６２の中心よりも二つ折り線６０から離れた側縁部６２ａに近い部分で上端部６２ｂ寄りには、吊下げ用の係止部である透孔６６が設けられている。透孔６６の形状は、水平方向に長細い長丸と、この長丸の中心に位置する円で形成されている。
【００２０】
透孔６６の下方には、収容部１２が挿通される開口部６８が設けられている。開口部６８は収容部１２の側面１８よりも僅かに大きい矩形に形成され、側面１６，１８，２０，２２、上蓋片３４、底蓋片４６で囲まれた矩形の収容部１２が挿通可能である。
【００２１】
台紙５８の後側面６４にも、前側面６２と同様に、二つ折り線６０で対称な位置に、透孔６６と開口部６８が設けられている。台紙５８の裏面には、台紙５８を二つ折りにして対面する裏面同士を接着可能に熱可塑性樹脂のヒートシール剤が塗工されている。台紙５８の二つ折り線６０と開口部６８との間には、後側面６４を開封するジッパー部７２が設けられている。
【００２２】
次に、包装体１０の組立方法の一例について説明する。まず収容部１２について説明する。なお、ここでは図３が収容部１２の箱体形成片１４の表面を見たものであり、箱体形成片１４の表面が凸になる折り方を正折り、そして裏面が凸になる折り方を逆折りと称する。
【００２３】
まず糊付片２４の裏面に糊７４を塗布し、折罫線３０を正折りする。すると側面２２の裏面が、糊７４により糊付片２４の裏面に糊付けされる。次に折罫線２６を９０度に逆折りし、折罫線２８，３０，３２を各々９０度に正折りし、四角形の箱体にする。折罫線３６で上蓋片３４を９０度に正折りし、その後折罫線４０で挟持片３８を９０度に逆折りする。そして、折罫線４８で底蓋片４６を９０度に正折りし、その後折罫線５２で挟持片５０を９０度に逆折りする。このとき、挟持片３８，５０は係止されておらず、上蓋片３４と底蓋片４６は開閉自在に側面１８に直角に位置し、収容部１２が形成される。
【００２４】
次に、収容部１２の台紙５８への取り付けについて説明する。ここでは図２が台紙５８の表面を見たものであり、台紙５８の表面が凸になる折り方を正折り、そして裏面が凸になる折り方を逆折りと称する。
【００２５】
まず、収容部１２に商品を入れ、台紙５８の前側面６２の開口部６８へ、側面１６，１８，２０，２２、上蓋片３４、底蓋片４６で囲まれた収容部１２を、前側面６２の裏面から表面へ挿通して嵌合する。このとき、側面２２は開口部６８よりも大きいため、挿通せず前側面６２の裏面に当接し、係止される。挟持片３８と挟持片５０は、側面２２と、前側面６２の開口部６８の周縁部に挟持されて係止され、側面１８に対して上蓋片３４と底蓋片４６が直角に位置して箱体形成片１４を閉鎖し商品を保持する。挟持片３８，５０は、係合突部４２，４４，５４，５６が形成されて開口部６８の水平方向の幅よりも幅広に形成され、開口部６８を挿通することが無く、確実に開口部６８周縁部の裏面に係止される。そして、台紙５８を二つ折り線６０で正折りして、前側面６２と後側面６４の裏面同士を合わせて、その周縁部を加熱してヒートシールする。これにより台紙５８の周縁部にヒートシール部７６が形成され、収容部１２の側面２２の周縁部は、前側面６２と後側面６４に挟まれて係止される。
【００２６】
次に、この実施形態の包装体１０の使用方法について説明する。商品が入れられた包装体１０を吊下げ展示するときは、台紙５８の透孔６６に吊下げ棒等を挿入して吊下げる。包装体１０内の商品を取り出すときは、台紙５８の後側面６４のジッパー部７２を破り開封する。そして、後側面６４を開けて収容部１２を前側面６２から引き抜いて外す。収容部１２は、上蓋片３４と底蓋片４６が係止されない状態となり、自由に開き、商品を側面１６，１８，２０，２２で囲まれた筒体の中から取り出す。
【００２７】
この実施形態の包装体１０によれば、組立工程が簡単で、確実に収容部１２と台紙５８が取り付けられ、確実に商品を収容し店頭に陳列することができる。そして、商品を取り出す際は、収容部１２と台紙５８が接着されていないため容易であり、台紙５８を剥がしたり破ったりする力が不要で、力のない人や手の不自由な人にも簡単に商品を取り出すことができる。また、紙製の台紙と、プラスチック製の収容部が簡単に分離され、資源として再利用することができる。台紙５８に、収容部１２が嵌合されているだけなので、表面から押すだけで簡単に裏面から外すことができる。台紙５８は、糊７６で前側面６２と後側面６４が二つ折りに接着され、確実に収容部１２の側面２２と挟持片３８，５０が保持され、安全に商品の搬送や陳列を行うことができる。そして、開封するときは、後側面６４に、糊７６と開口部６８の間に開封線７２が形成され、開封線７２を折り曲げると簡単に後側面６４が前側面６２から開き、収容部１２が露出し、収容部１２が取り出しやすくなる。後側面６４にも開口部６８が設けられているため、商品を後側面６４側からも見ることができ、消費者が商品を確認することができる。
【００２８】
また、包装体１０の収容部１２は熱をかけて成形するものではなく、合成樹脂製の一枚のブランクシートにより形成されているので、自由なデザインで印刷や箔押しが可能であり、ＵＶ硬化型のベタ印刷や、ベタ箔押ができ、ラミネート加工も可能である。特に、収容部１２は、箱体形成片１４を組み立てて作られ加熱成型が不要なため、印刷がゆがむ心配が無く、位置合わせも不要である。その他、紫外線吸収剤を印刷してＵＶカット機能をもたせることもできる。また、収容部１２の形状は、箱体形成片１４を各折罫線で折り曲げるため、シャープなイメージにすることができる。収容部１２は、たたんで保管できるため、商品を入れる前の状態でスペースをとらずに保管や運搬をすることができる。収容部１２は、加熱成型が不要なことから、耐熱性を有するものなど、いろいろな素材で作ることができる。
【００２９】
次に、この発明の第二実施形態について図５〜図８に基づいて説明する。ここで、上記実施形態と同様の部材は同様の符号を付して説明を省略する。この実施形態の包装体７８は、商品を収容する収容部８０を有し、収容部８０は、透明で可撓性を有する上記実施形態と同様に、合成樹脂製の一枚のブランクシートを打ち抜いて形成された箱体形成片８２を組み立てて設けられている。図７は、箱体形成片８２を表面から見た展開図であり、箱体形成片８２は、側面１６，１８，２０，２２が、互いに平行に連接して形成されている。側面２２は、その他の側面よりも連接している幅方向が長く、連接方向の長さも長い。
【００３０】
側面１６の側縁部には、収容部８０の組立状態で側面２２の裏面に重ねられる挟持片８４が設けられている。なお、側面２２の連接方向の長さは、挟持片８４と側面１８を足した長さよりも長く、側面１６，１８，２０，２２で組み立てられる箱体の断面形状が台形となる。そして、挟持片８４、側面１６，１８，２０，２２は、各々折罫線２６，２８，３０，３２で区切られている。折罫線２６の中心には、所定長さの切断線８６が折罫線２６に沿って形成されている。
【００３１】
側面１８において、側面どうしの連接方向に対して直角な方向の一端部には、上蓋片８８が折罫線９０で区切られて設けられている。上蓋片８８の折罫線９０の反対側の端部には、さらに挟持片９２が折罫線９４で区切られて設けられている。上蓋片８８の形状は、折罫線９０よりも折罫線９４が長い台形であり、折罫線９４近傍の両側縁部には、側方へ突出する小さい係合突部９６が各々形成されている。挟持片９２の、折罫線９４に対して直角方向の幅は、側面２２の上端部２２ａと、側面１８の折罫線９０を有する端部との差にほぼ等しい。
【００３２】
側面１８の、折罫線９０とは反対側の端部には、上蓋片８８と対称形の底蓋片９８が折罫線１００で区切られて設けられている。底蓋片９８の折罫線１００の反対側の端部には、さらに挟持片１０２が折罫線１０４で区切られて設けられている。底蓋片９８の、折罫線１０４近傍の両側縁部には、側方へ突出する小さい係合突部１０１が各々形成されている。
【００３３】
側面２２には、折罫線３２と反対側の側縁部２２ｃに近い位置に、切込線１０６が設けられている。切込線１０６は、側縁部２２ｃ側を閉鎖して側面２２の中心側を開口する略コの字形に形成され、側面２２の中心側の端部には外側に向かう曲線が設けられ、側縁部２２ｃ側の片は、中心が側縁部２２ｃから離れる方向にくぼんでいる。切込線１０６で囲まれた部分を、側面同士を連結する連結片である差込片１０８とする。
【００３４】
そして、この実施形態の包装体７８には、組み立てられた収容部８０を取り付ける台紙１１０が設けられている。台紙１１０は図６に示すように、紙製等のブランクシートを打ち抜いて矩形に作られている。台紙１１０は、水平方向の中心に、二つ折りにする二つ折り線１１２が設けられ、前側面１１４と後側面１１６に区切られている。台紙１１０の前側面１１４には、前側面１１４中心よりも上端部１１４ａ寄りに、吊下げ用の係止部である透孔１１８が設けられている。透孔１１８の下方には、収容部８０が挿通される開口部１２０が設けられている。台紙１１０の後側面１１６にも、前側面１１４と同様に、二つ折り線１１２で対称な位置に、透孔１１８と開口部１２０が設けられている。
【００３５】
次に、包装体７８の組立方法の一例について説明する。まず収容部８０について説明する。なお、ここでは図７が収容部８０の箱体形成片８２の表面を見たものであり、箱体形成片８２の表面が凸になる折り方を正折り、そして裏面が凸になる折り方を逆折りと称する。まず折罫線２６を逆折りし、折罫線２８，３０，３２を各々正折りし、側面２２の差込片１０８を折罫線２６の切断線８６に差し込み、係止する。これにより、側面１６，１８，２０，２２は、断面が台形状の筒体となる。そして、折罫線９０で上蓋片８８を９０度に正折りし、その後折罫線９４で挟持片９２を９０度に逆折りする。そして、折罫線１００で底蓋片９８を９０度に正折りし、その後折罫線１０４で挟持片１０２を９０度に逆折りする。このとき、挟持片９２，１０２は係止されておらず、上蓋片３４と底蓋片４６は開閉自在に側面１８に直角に位置し、収容部８０が形成される。
【００３６】
次に、収容部８０の台紙１１０への取り付けについて説明する。ここでは図６が台紙１１０の表面を見たものであり、台紙１１０の表面が凸になる折り方を正折り、そして裏面が凸になる折り方を逆折りと称する。
【００３７】
台紙１１０の前側面１１４の開口部１２０へ、側面１６，１８，２０，２２、上蓋片８８、底蓋片９８で囲まれた収容部８０を、前側面１１４の裏面から表面へ挿通して嵌合する。このとき、側面２２は開口部１２０よりも大きいため、挿通せず前側面１１４の裏面に当接され、係止される。そして、上蓋片８８の係合突部９６と底蓋片９８の係合突部１０１は、開口部１２０を弾性変形して通過した後、前側面１１４の表面にそれぞれ当接し、収容部８０が抜けて戻ることを防ぎ、側面２２とで前側面１１４を挟むようになり、落下しないようにセットされる。また、挟持片９２と挟持片１０２は、側面２２と前側面１１４の開口部１２０の周縁部に挟持されて係止され、側面１８に対して上蓋片８８と底蓋片９８が直角に位置して箱体形成片８２を閉鎖し商品を保持する。そして、台紙１１０を二つ折り線１１２で正折りして、二つ折りにし、収容部８０の側面２２の周縁部は、前側面１１４と後側面１１６の裏面に挟まれ、その周縁部を加熱してヒートシールする。
【００３８】
次に、この実施形態の包装体７８の使用方法について説明する。包装体７８から商品を取り出すときは、台紙１１０の後側面１１６を開き、前側面１１４の裏面と収容部８０を露出させ、収容部８０を前側面１１４から引き抜いて外す。収容部８０は、上蓋片８８と底蓋片９８が係止されない状態となり、自由に開き、商品を側面１６，１８，２０，２２で囲まれた筒体の中から取り出す。
【００３９】
この実施形態の包装体７８によれば、上記実施の形態と同様の効果を有し、組立工程が簡単で、確実に商品を収容し店頭に陳列することができる。そして、商品を取り出す際は開封が容易で、簡単に分別して破棄することができる。また、収容部８０は、係合突部９６，１０１で台紙１１０に係止されるため、台紙１１０を二つ折りの状態で糊付けする必要が無く、確実に係止される。このため、接着工程が不要で包装が容易であり、開封も簡単である。
【００４０】
次にこの発明の第三実施形態について図９〜図１２に基づいて説明する。ここで、上記実施形態と同様の部材は同様の符号を付して説明を省略する。この実施形態の包装体１２２は、商品を収容する収容部１２４を有し、収容部１２４は、箱体形成片１２６を組み立てて設けられている。図１１は、箱体形成片１２６を表面から見た展開図であり、箱体形成片１２６は、側面１６，１８，２０，２２が、互いに平行に連接して形成されている。側面１６，１８，２０は、ほぼ同じ大きさであり、側面２２は他の側面よりも連接方向の長さは同じで連接している幅方向が長い。側面１６，１８，２０，２２は、各々折罫線２８，３０，３２で区切られている。
【００４１】
側面１８において、側面どうしの連接方向に対して直角な方向の一端部には、横蓋部１２８が折罫線１３０で区切られて設けられている。横蓋部１２８は、折罫線１３０を一辺とするほぼ正三角形であり、折罫線２８に近い傾斜した辺には、挟持片１３２が折罫線１３４で区切られて設けられている。挟持片１３２は、折罫線１３４を底辺とする台形状であり、挟持片１３２の折罫線１３４と反対側の端部１３２ａの中心から折罫線１３４に達する切断線１３５により分割されている。ここで分割された挟持片１３２は、切断線１３５よりも折罫線２８に近い部分を第１側面１３５ａとし、残りの部分を第２側面１３５ｂとする。切断線１３５は、端部１３２ａ側の約半分は直線で、折罫線１３４側の約半分は、第１側面１３５ａ側に湾曲する曲線で形成されている。端部１３２ａは、側面同士を連結する連結片を構成し、切断線１３５で形成された角部は面取りされている。
【００４２】
側面１８の、折罫線１３０とは反対側の端部には、横蓋部１２８と対称形の横蓋部１３６が折罫線１３７で区切られて設けられている。横蓋部１３６は、折罫線１３７を一辺とするほぼ正三角形であり、折罫線２８に近い傾斜した辺には、挟持片１３８が折罫線１３９で区切られて設けられている。挟持片１３８は、折罫線１３９を底辺とする台形状であり、挟持片１３８の端部１３８ａの中心から折罫線１３９に達する切断線１４０により分割されている。ここで、分割された挟持片１３８は、切断線１４０よりも折罫線２８に近い部分を第１側面１４０ａとし、残りの部分を第２側面１４０ｂとする。切断線１４０は、端部１３８ａ側の約半分は直線で、折罫線１３９側の約半分は、第１側面１４０ａ側に湾曲する曲線で形成されている。端部１３８ａと切断線１４０で形成された角部は面取りされている。
【００４３】
側面２２の、側面の連接方向に対して直角な方向で、横蓋部１３６側の端部２２ａは、切断線１４０とほぼ同じ形状の切断線１４２により分割されている。ここで、分割された端部２２ａは、切断線１４２よりも折罫線３２に近い部分を第１側面１４２ａとし、残りの部分を第２側面１４２ｂとする。切断線１４２は、端部２２ａ側の約半分は直線で、残りの約半分は第１側面１４２ａ側に湾曲する曲線で形成され、曲線の先端は、切断線１４０よりも僅かに長く形成され折罫線３２へ向かって曲げられてとまっている。切断線１４２は、側面同士を連結する連結片を構成し、端部２２ａと切断線１４２で形成された角部は面取りされている。
【００４４】
側面２２の、側面２２の端部２２ａと反対側の端部２２ｂは、切断線１３５とほぼ同じ形状の切断線１４４により分割されている。ここで、分割された端部２２ｂは、切断線１４４よりも折罫線３２に近い部分を第１側面１４４ａとし、残りの部分を第２側面１４４ｂとする。切断線１４４は、端部２２ｂ側の約半分は直線で、残りの約半分は第１側面１４４ａ側に湾曲する曲線で形成され、曲線の先端は、切断線１３５よりも僅かに長く形成され折罫線３２へ向かって曲げられてとまっている。切断線１４４は、側面同士を連結する連結片を構成し、端部２２ｂと切断線１４４で形成された角部は面取りされている。
【００４５】
そして、この実施形態の包装体１２２には、組み立てられた収容部１２４を取り付ける台紙１４６が設けられている。台紙１４６は図１０に示すように、紙製等のブランクシートを打ち抜いて矩形に作られている。台紙１４６は、垂直方向の中心に、二つ折りにする二つ折り線１４８が設けられ、前側面１５０と後側面１５２に区切られている。台紙１４６の前側面１５０には、二つ折り線１４８寄りに、透孔１５４が設けられている。透孔１５４の形状は、二つ折り線１４８に対して平行方向に長細い長丸と、この長丸の中心に位置し二つ折り線１４８へ突出する半円で形成されている。透孔１５４の下方には、収容部１２４が挿通される開口部１５６が設けられている。台紙１４６の後側面１５２にも、前側面１５０と同様に、二つ折り線１４８で対称な位置に、透孔１５４と開口部１５６が設けられている。
【００４６】
次に、包装体１２２の組立方法の一例について説明する。まず収容部１２４について説明する。なお、ここでは図１１が箱体形成片１２６の表面を見たものであり、箱体形成片１２６の表面が凸になる折り方を正折り、そして裏面が凸になる折り方を逆折りと称する。まず、折罫線２８，３０，３２を６０度に正折りし、側面１６の表面を側面２２の裏面に重ね、三角筒体とする。そして、折罫線１３０で横蓋部１２８を９０度に正折りし、そのあと折罫線１３４で挟持片１３２を９０度に逆折りし、挟持片１３２の裏面と側面２２の裏面を重ね合わせる。このとき、挟持片１３２の第１側面１３５ａと側面２２の第２側面１４４ｂが重ねられ、第２側面１３５ｂと第１側面１４４ａが重ねられる。挟持片１３２の切断線１３５と、側面２２の切断線１４４は、直線部分が互いに一致し、曲線部分は湾湾曲方向が反対向きとなる。互いに重ねられた第１側面１３５ａと第２側面１４４ｂを、折罫線１３４で鋭角に逆折りすると、第２側面１４４ｂの切断線１４４内側部分が、第２側面１３５ｂの切断線１３５内側部分を弾性変形しながら乗り越えて重ねられ、元に戻らず互いに係止される。これにより、挟持片１３２と側面２２も係止され、横蓋部１２８は側面１８に対して直角に位置して、三角筒体の一端部を閉鎖する。
【００４７】
また、折罫線１３７で横蓋片１３６を９０度に正折りし、そのあと折罫線１３９で挟持片１３８を９０度に逆折りし、挟持片１３８の裏面と側面２２の裏面を重ね合わせる。このとき、挟持片１３８の第１側面１４０ａと側面２２の第２側面１４２ｂが重ねられ、第２側面１４０ｂと第１側面１４２ａが重ねられる。挟持片１３８の切断線１４０と側面２２の切断線１４２は、直線部分が互いに一致し、曲線部分は湾曲方向が反対向きとなる。互いに重ねられた第１側面１４０ａと第２側面１４２ｂを、折罫線１３９で鋭角に逆折りすると、第２側面１４２ｂの切断線１４２内側部分が、第２側面１４０ｂの切断線１４０内側部分を弾性変形しながら乗り越えて重ねられ、元に戻らず互いに係止される。これにより、挟持片１３８と側面２２も係止され、横蓋部１３６は側面１８に対して直角に位置して三角筒体の一端部を閉鎖する。これにより中に入れる商品を保持する。
【００４８】
次に、収容部１２４の台紙１４６への取り付けについて説明する。ここでは、図１０が台紙１４６の表面を見たものであり、台紙１４６の表面が凸になる折り方を正折り、そして裏面が凸になる折り方を逆折りと称する。
【００４９】
台紙１４６の前側面１５０の開口部１５６へ、側面１６，１８，２０，２２、横蓋片１２８，１３６で囲まれた収容部１２４を、前側面１５０の裏面から表面へ挿通して嵌合する。このとき、側面２２は開口部１５６よりも大きいため、挿通せず前側面１５０の裏面に当接し、係止される。そして、台紙１４６を二つ折り線１４８で正折りして、二つ折りにし、前側面１５０と後側面１５２の裏面同士を合わせて、その周縁部を加熱してヒートシールする。収容部１２４の側面２２の端部２２ａ，２２ｂは、前側面１５０と後側面１５２に挟まれて係止される。
【００５０】
つぎに、この実施形態の包装体１２２の使用方法について説明する。包装体１２２から商品を取り出すときは、台紙１４６の後側面１５２を開き、前側面１５０の裏面と収容部１２４を露出させ、収容部１２４を前側面１５０から引き抜いて外す。収容部１２４の、挟持片１３２の第一側面１３５ａを折罫線１３４から横蓋片１２８から離れるほうへ曲げ、第２側面１４４ｂの切断線１４４内側部分が第２側面１３５ｂの切断線１３５内側部分を弾性変形しながら乗り越え、係合が解除される。これにより、挟持片１３２と側面２２が自由に離れ、横蓋部１２８は側面２２に対して自由に開き、三角筒体の中の商品を取り出すことができる。なお、横蓋部１２８ではなく横蓋片１３６を先に開けても良い。
【００５１】
この実施形態の包装体１２２によれば、上記実施の形態と同様の効果を有し、収容部１２４は、ブランクシート１２６の弾性変形を利用して確実に連結されるため、台紙１４６を外した状態でも陳列や保管をすることができる。接着剤や連結部材が不要でコストが掛からず、作業効率も良好である。廃棄するときも組立を解除しやすく、プラスチックの資源ごみとして再利用することができる。
【００５２】
次にこの発明の第四実施形態について図１３〜図１６に基づいて説明する。なお、ここで、上記実施形態と同様の部材は同様の符号を付して説明を省略する。この実施形態の包装体１５８は、商品を収容する収容部１６０を有し、収容部１６０は、箱体形成片１６２を組み立てて設けられている。図１５は、箱体形成片１６２を表面から見た展開図であり、箱体形成片１６２は、第三実施形態の包装体１２２の箱体形成片１２６と同様の形状であり、側面１６，１８，２０，２２が、互いに平行に連接して形成されている。側面１６，１８，２０，２２は、各々折罫線２８，３０，３２で区切られている。側面１８には、横蓋部１２８，１３６が折罫線１３０，１３７で各々区切られて設けられている。横蓋部１２８，１３６には、挟持片１３２，１３８が設けられている。挟持片１３２は切断線１３５により第１側面１３５ａと第２側面１３５ｂに分割されている。挟持片１３８は、切断線１４０により第１側面１４０ａと第２側面１４０ｂに分割されている。
【００５３】
側面２０にも、略正三角形の横蓋部１６４，１６６が設けられている。側面２２には、切断線１４２，１４４が設けられ、第１側面１４２ａと第２側面１４２ｂ、または第１側面１４４ａと第２側面１４４ｂに分割されている。
【００５４】
そして、この実施形態の包装体１５８には、組み立てられた収容部１６０を取り付ける台紙１６８が設けられている。台紙１６８は図１４に示すように、紙製等のブランクシートを打ち抜いて矩形に作られている。台紙１６８は、図面上左寄りに、二つ折りにする二つ折り線１７０が設けられ、前側面１７２と後側面１７４に区切られている。二つ折り線１７０は、曲線の切断線が連続して形成されている。前側面１７２と後側面１７４には、透孔１７６が設けられ、透孔１７６の下方には開口部１７８が設けられている。
【００５５】
この実施形態の包装体１５８の組立方法や使用方法は、第三実施形態とほぼ同じであり、同様の効果を有するものである。収容部１６０が縦長に設けられているため、細長い商品を立てた状態で陳列することができる。台紙１６８は、後側面１７４が小さく、コストを抑えることができる。横蓋部１２８，１３６は、内側に横蓋部１６４，１６６が重ねられて二重構造となり、耐久性と強度が向上し、商品を確実に保護することができる。
【００５６】
なお、この発明の包装体は、上記各実施形態に限定されるものではなく、各部材の形状、数、取り付け位置、組立工程等、適宜変更可能である。例えば、前記収容部には、前記側面の下端部を閉鎖する底蓋片が設けられ、前記底蓋片または前記側面の端部や突出部が前記台紙の下端部と同一平面上に位置し、前記底蓋片側を下にして前記側面が略水平な面に対して垂直に自立可能にしても良い。なお、印刷は自由なデザインで行うことができる。また収容部は折罫線を曲線にするなどして形状も自由にデザインすることができる。
【図面の簡単な説明】
【００５７】
【図１】この発明の第一実施形態の包装体の斜視図である。
【図２】この実施形態の包装体の台紙を展開した正面図である。
【図３】この実施形態の包装体の収容部の箱体形成片を示す正面図である。
【図４】この実施形態の包装体の正面図である。
【図５】この発明の第二実施形態の包装体の斜視図である。
【図６】この実施形態の包装体の台紙を展開した正面図である。
【図７】この実施形態の包装体の収容部の箱体形成片を示す正面図である。
【図８】この実施形態の包装体の正面図である。
【図９】この発明の第三実施形態の包装体の斜視図である。
【図１０】この実施形態の包装体の台紙を展開した正面図である。
【図１１】この実施形態の包装体の収容部の箱体形成片を示す正面図である。
【図１２】この実施形態の包装体の正面図である。
【図１３】この発明の第四実施形態の包装体の斜視図である。
【図１４】この実施形態の包装体の台紙を展開した正面図である。
【図１５】この実施形態の包装体の収容部の箱体形成片を示す正面図である。
【図１６】この実施形態の包装体の正面図である。
【符号の説明】
【００５８】
１０  包装体
１２  収容部
１４  箱体形成片
１６，１８，２０，２２  側面
２４  糊付片
３８，５０  挟持片
４０，５２  折罫線
４２，４４，５４，５６  係合突部
５８  台紙
６０  二つ折り線
６６  透孔
６８  開口部
【図１】
2008213916.tif 000003
【図２】
2008213916.tif 000004
【図３】
2008213916.tif 000005
【図４】
2008213916.tif 000006
【図５】
2008213916.tif 000007
【図６】
2008213916.tif 000008
【図７】
2008213916.tif 000009
【図８】
2008213916.tif 000010
【図９】
2008213916.tif 000011
【図１０】
2008213916.tif 000012
【図１１】
2008213916.tif 000013
【図１２】
2008213916.tif 000014
【図１３】
2008213916.tif 000015
【図１４】
2008213916.tif 000016
【図１５】
2008213916.tif 000017
【図１６】
2008213916.tif 000018